(57)【要約】【課題】ダブルリング８の端部８ｂが外側に向かないように取付金具５側に保持する。【解決手段】ゴム栓部と玉鎖部とを連結する環状で二重に形成されたダブルリングにおいて、端部間の距離をゴム栓部に設けた取付金具の外形寸法と略同一に設定するとともに、ダブルリングの二重部外形寸法を取付金具に設けた貫通孔の直径寸法よりも大きく設定した。こうすることでダブルリング８の端部８ｂが外側に向かないように取付金具５側に保持されるため、ダブルリング８の端部８ｂが指に触れる位置に移動しないので掃除などをしてもダブルリング８の端部８ｂに指が触れてケガをすることが無い。【選択図】  図１
2004202089.tif 000002
【特許請求の範囲】
【請求項１】
ゴム製の排水栓本体と連結用の取付金具を備えたゴム栓部と、玉鎖を挟持するとともに連結用のカップリングを備えた玉鎖部とを環状で二重に形成されたダブルリングを介して連結する排水栓において、前記ダブルリングの二重部外形寸法を前記取付金具に設けた貫通孔の内径寸法よりも大きく形成するとともに、前記ダブルリングの端部間の距離を前記取付金具の外形寸法と略同一に形成したことを特徴とする排水栓。
【発明の詳細な説明】
【０００１】
【発明の属する技術分野】
本発明は、浴槽、洗面化粧ボール等、排水口を備える場所に用いる排水栓で、特にゴム栓部とダブルリングに関する。
【０００２】
【従来の技術】
浴槽や洗面化粧ボールの排水口に用いる排水栓１は、図５に示すように排水口に着脱されるゴム栓部２とゴム栓部２を支持する玉鎖部３と玉鎖部３を保持する保持部（図示しない）で構成され、ゴム栓部２と玉鎖部３は環状で二重に形成されたダブルリング８を介して連結されている。ゴム栓部２は、ゴム製の排水栓本体４と連結用の取付金具５で構成され、ゴム製の排水栓本体４の中央部に設けた中央孔（図示しない）に取付金具５を嵌通して組立てている。取付金具５の上部には、連結するための貫通孔５ａを設けている。
玉鎖部３は、玉鎖６と玉鎖６の両端部の玉６ａを挟持するとともに連結するためのカップリング７とで構成され、カップリング７は、連結するための孔７ａと、玉６ａを挟持するためのスリット７ｂとを備えている。
ダブルリング８を用いたゴム栓部２と玉鎖部３の連結方法は、ダブルリング８の二重部８ａを治具など（図示しない）で拡開し、ダブルリング８の端部８ｂを取付金具５の貫通孔５ａに挿入し、ダブルリング８を回転させながら押込んで取付ける。その後、カップリング７の孔７ａに前述と同様の方法でダブルリング８を取付けている。
（例えば、特許文献１参照）
【０００３】
特許文献１：実開平７−１７８７０（３頁、第１１図，４頁、第１０図）
【０００４】
【発明が解決しようとする課題】
しかしながら、従来技術では、取付金具５に設けた貫通孔５ａの内径は、ダブルリング８の組付けが可能な範囲において任意の寸法に設定されているが、通常は、ダブルリング８の組付けを容易にするため、ダブルリング８の二重部８ａの外形寸法よりも貫通孔５ａの内径寸法は大きく設定されている。そのため、ダブルリング８が自由に回転でき、端部８ｂも任意の位置に移動することになる。例えば、図６のような位置にダブルリング８の端部８ｂが移動した状態で、掃除などをしているとダブルリング８の端部８ｂに指が触れてケガをする可能性がある。
【０００５】
そこで、本発明では上記の問題点を解決するため、ダブルリング８の端部８ｂが外側に向かないように取付金具５側に保持することを目的とする。
【０００６】
【課題を解決するための手段】
ゴム製の排水栓本体と連結用の取付金具を備えたゴム栓部と、玉鎖を挟持するとともに連結用のカップリングを備えた玉鎖部とを環状で二重に形成されたダブルリングを介して連結する排水栓において、前記ダブルリングの二重部外形寸法を前記取付金具に設けた貫通孔の内径寸法よりも大きく形成するとともに、前記ダブルリングの端部間の距離を前記取付金具の外形寸法と略同一に形成したことを特徴とする。
【０００７】
これによりダブルリングの端部は、取付金具にほぼ当接した状態で組付けられるとともに、ダブルリングが回転するようなことはなくなる。そのため、ダブルリングの端部が、露出するようなこともなく、手や指などを切傷するケガを防ぐことができる。
【０００８】
【発明の実施の形態】
以下に図面を参照して本発明をより具体的に説明する。
図１は、本発明に係る排水栓を示す外観図である。図２は本発明の排水栓に用いるダブルリングを示す外観図である。図３は本発明の排水栓に用いるゴム栓部を示す外観図である。図４は本発明の排水栓に係るダブルリングと取付金具の取付方法を示す外観図である。図５は従来技術の排水栓を示す外観図である。図６は従来技術の排水栓に係るダブルリングの移動状態を示す外観図である。
【０００９】
本発明の排水栓１１も浴槽や洗面化粧ボールに取付ける方法は、従来技術と同様で、図１に示すように主に排水口に着脱される栓部２と栓部２を支持する玉鎖部３と玉鎖部３を保持する保持部（図示しない）で構成され、ゴム栓部２と玉鎖部３は、環状で二重に形成されたダブリング１８を介して連結されている。
ゴム栓部２は、ゴム製の排水栓本体４に取付金具１５が組付けられており、取付金具１５の上部には貫通孔１５ａを設けている。玉鎖部３は、玉鎖６と玉鎖６の両端部に設けたカップリング７で構成され、カップリング７は、連結するための孔７ａと、玉６ａを挟持するためのスリット７ｂを備えている。
【００１０】
図２、図３に示すように本発明の排水栓１１に用いるダブルリング１８は、ステンレス製のワイヤーを用いて二重の環状に形成し、ダブルリング１８の端部１８ｂ間の距離Ｌが取付金具１５の外形寸法Ｄ１とほぼ同一寸法（Ｌ≒Ｄ１）となる位置で切断して製作される。
また、ダブルリング１８の二重に形成された二重部１８ａの外形寸法Ｗは、取付金具１５に設けた貫通孔１５ａの内径Ｄ２よりも大きい寸法設定（Ｗ>Ｄ２）となっている。
図４に示すようにダブルリング１８と取付金具１５の組付け方法は、ダブルリング１８の端部１８ｂ付近を治具（図示しない）などを用いて拡開し、取付金具１５の貫通孔１５ａにダブルリング１８の端部１８ｂを挿入する。（図４（ａ））その後、ダブルリング１８を回転させながら押込んでいくと、（図４（ｂ））先に挿入したダブルリング１８の端部１８ｂが取付金具１５に当接して取付け作業は終了する。（図４（ｃ））
【００１１】
ダブルリング１８は許容差程度のガタツキしかなく、ダブルリング１８はほぼ固定された状態で取付けられているので、取付金具１５の貫通孔１５ａを通じて回転することはない。そのため、ダブルリング１８の端部１８ｂが露出することもなく、端部１８ｂが使用者の手や指に触れる可能性は従来に比べて低くなり、掃除などの時に発生するケガを防止することができる。
尚、本発明は、前述のようにゴム栓部２と玉鎖部３とをダブルリング１８を用いた連結に限定することなく、玉鎖部３を保持する保持部（図示しない）と玉鎖部３を連結するときに適用してもよい。
【００１２】
【発明の効果】
排水栓本体に連結のための取付金具を設けた栓部と、玉鎖と該玉鎖を挟持し前記栓部と連結するための連結具とを備えた玉鎖部と、を二重に形成されたダブルリングを介して連結させた排水栓において、前記ダブルリングの切断端部間の距離を前記取付金具の外形寸法と略同一に設定するとともに、ダブルリングの二重部外形寸法を取付金具に設けた貫通穴の直径寸法よりも大きく設定したので、ダブルリングの切断端面が取付金具部側に固定されるので切断端面部に手が触れる可能性は低くなり掃除などの時に発生するケガを防止することができる。
【図面の簡単な説明】
【図１】本発明に係る排水栓を示す外観図である。
【図２】本発明の排水栓に用いるダブルリングを示す外観図である。
【図３】本発明の排水栓に用いるゴム栓部を示す外観図である。
【図４】本発明のダブルリングと取付金具の連結方法を示す外観図である。
【図５】従来技術の排水栓を示す外観図である。
【図６】従来技術の排水栓に係るダブルリングの移動状態を示す外観図である。
【符号の説明】
１，１１：排水栓
２：ゴム栓部
３：玉鎖部
４：排水栓本体
５，１５：取付金具
６：玉鎖
７：カップリング
８，１８：ダブルリング
【図１】
2004202089.tif 000003
【図２】
2004202089.tif 000004
【図３】
2004202089.tif 000005
【図４】
2004202089.tif 000006
【図５】
2004202089.tif 000007
【図６】
2004202089.tif 000008